(57)【要約】【課題】タッチパネルからなる画面を備えた高機能携帯電話や高機能携帯端末用に、簡単にイヤホンを出し入れできる収納体の機能と、タッチパネルからなる画面やイヤホンのコード等の汚れを簡単に清掃できるクリーナーの機能とを併せ持つ極めて便利なクリーナー機能付きイヤホン収納袋を提供する。【解決手段】外面の少なくとも一部が極細繊維からなる布帛で形成された袋体からなり、極細繊維からなる布帛がクリーナーとして機能可能で、かつ、袋体が少なくともイヤホンを収納可能に構成されていることを特徴とするクリーナー機能付きイヤホン収納袋。【選択図】図１
0003179218.tif 000002
【実用新案登録請求の範囲】
【請求項１】
外面の少なくとも一部が極細繊維からなる布帛で形成された袋体からなり、極細繊維からなる布帛がクリーナーとして機能可能で、かつ、袋体が少なくともイヤホンを収納可能に構成されていることを特徴とする、クリーナー機能付きイヤホン収納袋。
【請求項２】
前記極細繊維からなる布帛が、極細繊維の織編物または不織布からなる、請求項１に記載のクリーナー機能付きイヤホン収納袋。
【請求項３】
前記極細繊維の単繊維繊度が０．０００１〜１．０ｄｔｅｘの範囲にある、請求項１または２に記載のクリーナー機能付きイヤホン収納袋。
【請求項４】
前記袋体を袋体以外の他品に着脱可能な取り付け手段を有している、請求項１〜３のいずれかに記載のクリーナー機能付きイヤホン収納袋。
【請求項５】
タッチパネルからなる画面を備えた高機能携帯電話または高機能携帯端末用に用いられる、請求項１〜４のいずれかに記載のクリーナー機能付きイヤホン収納袋。
【請求項６】
前記袋体が、イヤホンとともに他の小物まで収納可能に構成されている、請求項１〜５のいずれかに記載のクリーナー機能付きイヤホン収納袋。
【請求項７】
前記袋体の内部が、少なくとも２つの収納部に分割されている、請求項１〜６のいずれかに記載のクリーナー機能付きイヤホン収納袋。
【請求項８】
前記袋体の外面に装飾が施されている、請求項１〜７のいずれかに記載のクリーナー機能付きイヤホン収納袋。
【請求項９】
前記袋体の外面に広告が施されている、請求項１〜７のいずれかに記載のクリーナー機能付きイヤホン収納袋。
【考案の詳細な説明】
【技術分野】
【０００１】
本考案は、クリーナー機能付きイヤホン収納袋に関し、とくに、いわゆる「スマートフォン」と呼ばれるタッチパネルからなる画面を備えた高機能携帯電話や、高機能携帯端末等用に用いられて好適なクリーナー機能付きイヤホン収納袋に関する。
【背景技術】
【０００２】
近年、いわゆる「スマートフォン」と呼ばれるタッチパネルからなる画面を備えた高機能携帯電話や、同じくタッチパネルからなる画面を備えた高機能携帯端末が広く普及してきている。これら高機能携帯電話や高機能携帯端末には、音楽プレイヤー等としての機能を有するものが多く、音楽プレイヤー等として使用される場合には、イヤホンが使用されることが多い。
【０００３】
音楽プレイヤー等の機能のみを有する機器では、該機器を使用しない時、該機器本体にイヤホンのコードを巻き付けておいたり、イヤホンのジャックをそのまま該機器本体に差し込んでおくことも可能と考えられるが、上記のような高機能携帯電話や高機能携帯端末は、音楽プレイヤー等の機能以外の、イヤホンの使用が不要な電話やメール等の機能を有しているので、そのような機能が使用される場合には、イヤホンを取り付けたままにしておくと邪魔になることが多いため、通常、イヤホンは取り外されて別途カバンや衣服のポケット等に収納されることとなっている。
【０００４】
しかし、イヤホンが別途収納されていると、それを使用しようとする際、探し出すのに手間取ったりすることがあり、また、他の物と混在されて収納されているときには、他の物と分離して必要なイヤホンのみを取り出すのに手間取ったりすることがある。
【０００５】
このようなイヤホンの収納に関する不便さとは別に、タッチパネルからなる画面は、常時指でタッチ操作されるため汚れやすく、また、イヤホンのコード等も汚れることがあり(特に、白っぽいコードは汚れやすい)、これら汚れが簡単に除去できれば便利である。
【０００６】
したがって、タッチパネルからなる画面を備えた高機能携帯電話や高機能携帯端末にとって、簡単にイヤホンを出し入れできる収納体や、タッチパネルからなる画面やイヤホンのコード等の汚れを簡単に清掃できるクリーナーがあれば便利であり、それらの両機能を併せ持つものがあれば極めて便利であるが、そのようなものは見当たらない。なお、高機能携帯電話や高機能携帯端末の機器本体の収納を目的としたケースは知られている(例えば、特許文献１)。
【先行技術文献】
【特許文献】
【０００７】
【特許文献１】登録実用新案第３１７３２６２号
【考案の概要】
【考案が解決しようとする課題】
【０００８】
そこで本考案の課題は、上記のような実情に鑑み、タッチパネルからなる画面を備えた高機能携帯電話や高機能携帯端末用に、簡単にイヤホンを出し入れできる収納体の機能と、タッチパネルからなる画面やイヤホンのコード等の汚れを簡単に清掃できるクリーナーの機能とを併せ持つ極めて便利なクリーナー機能付きイヤホン収納袋を提供することにある。
【課題を解決するための手段】
【０００９】
上記課題を解決するために、本考案に係るクリーナー機能付きイヤホン収納袋は、外面の少なくとも一部が極細繊維からなる布帛で形成された袋体からなり、極細繊維からなる布帛がクリーナーとして機能可能で、かつ、袋体が少なくともイヤホンを収納可能に構成されていることを特徴とするものからなる。
【００１０】
このような本考案に係るクリーナー機能付きイヤホン収納袋では、袋体が少なくともイヤホンを収納可能に構成されているので、まず、イヤホンが使用されない時の専用のイヤホン収納袋の機能を発揮でき、とくにイヤホン専用の収納袋として機能できることから、簡単にイヤホンを出し入れできる。そして、外面の少なくとも一部を形成する極細繊維からなる布帛は、従来のめがねレンズ拭きと同様のクリーナーの機能を有するから、それを使用してタッチパネルからなる画面やイヤホンのコード等の汚れを簡単に清掃できるようになる。したがって、これら両機能を併せ持つ、タッチパネルからなる画面を備えた高機能携帯電話や高機能携帯端末用に用いて極めて便利なクリーナー機能付きイヤホン収納袋が実現されることになる。
【００１１】
上記本考案に係るクリーナー機能付きイヤホン収納袋においては、上記極細繊維からなる布帛として、織編物や、不織布等を用いることができる。このような布帛自体は、すでに、めがねレンズ拭き用の布帛等として広く実用に供されており(例えば、東レ株式会社製「トレシー」(登録商標))、ガラス面等に対して優れたクリーナー機能を発現できることが実証されている。したがって、タッチパネルからなる画面、さらにはイヤホンのコード等に対しても、このような布帛を適用することにより、優れたクリーナー機能が得られる。
【００１２】
また用いられる繊維としては、ポリエステル、ポリアミド、ポリウレタン等の合成繊維や、天然繊維を用いることができる。中でも収納袋の拭き取り部分については、ポリエステル繊維あるいはポリアミド繊維が好ましく用いられ、ポリエステル繊維のみ、あるいは、ポリエステル繊維とポリアミド繊維とを合わせ用いることも好ましい態様である。また、拭き取り部分以外については、天然繊維、ポリウレタン繊維、ポリウレタン繊維等が好ましく用いられる。  
【００１３】
また、上記極細繊維の繊度としてはとくに限定されないが、例えば、単繊維繊度が０．０００１〜１．０ｄｔｅｘの範囲にあるものが好ましい。このような繊度範囲の極細繊維からなる布帛を適用することで、優れたクリーナー機能が達成される。
【００１４】
また、本考案に係るクリーナー機能付きイヤホン収納袋は、上記袋体を袋体以外の他品に着脱可能な取り付け手段を有している構成を採ることもできる。このような取り付け手段を有していることにより、本考案に係るクリーナー機能付きイヤホン収納袋本体を、例えばカバンや、衣服、ベルト等に、必要に応じて着脱可能となり、一層便利な使用が可能になる。取り付け手段の構造としてはとくに限定されないが、例えば、後述の実施形態に示すようなクリップ付き帯状体や、いわゆるストラップと呼ばれる環状の紐状体に構成できる。
【００１５】
また、本考案に係るクリーナー機能付きイヤホン収納袋は、とくにタッチパネルからなる画面を備えた高機能携帯電話または高機能携帯端末用に用いて好適なものであるが、類似の携帯機器、例えば近年広がりつつあるタッチパネルからなる画面を備えるとともに種々の高機能を付加した携帯ゲーム機等にも適用可能である。
【００１６】
また、本考案に係るクリーナー機能付きイヤホン収納袋においては、上記袋体が、イヤホンとともに他の小物まで収納可能に構成されている形態を採用することも可能である。つまり、携帯機器によっては、イヤホン以外にも頻繁に着脱する小物付属部品が存在する場合もあり得るので、そのような小物付属部品も収納可能に構成されていると非常に便利である。
【００１７】
また、上記袋体の内部が、少なくとも２つの収納部に分割されている形態を採用することも可能である。このような内部分割形態を採用すれば、一方の収納部をイヤホン専用の収納部として使用でき、他の収納部を、例えば上記のような小物付属部品用の収納部として使用でき、携帯機器の種類に応じた使用が可能になる。
【００１８】
また、本考案に係るクリーナー機能付きイヤホン収納袋においては、上記袋体の外面に装飾が施されている構成や、上記袋体の外面に広告が施されている構成とすることもできる。袋体の外面に装飾が施されていれば、商品価値を高めることが可能になり、広告が施されていれば、広告を兼ねた贈答品等としての価値を高めることが可能になる。
【考案の効果】
【００１９】
このように、本考案に係るクリーナー機能付きイヤホン収納袋によれば、イヤホン専用の収納袋としての機能と、タッチパネルからなる画面やイヤホンのコード等の汚れを簡単に清掃可能な機能との両機能を併せ持つことができ、タッチパネルからなる画面を備えた高機能携帯電話や高機能携帯端末用に用いて極めて便利なクリーナー機能付きイヤホン収納袋を実現することができる。
【図面の簡単な説明】
【００２０】
【図１】本考案の一実施態様に係るクリーナー機能付きイヤホン収納袋の斜視図である。
【考案を実施するための形態】
【００２１】
以下に、本考案の実施の形態について、図面を参照しながら説明する。
図１は、本考案の一実施態様に係るクリーナー機能付きイヤホン収納袋１を示しており、とくにタッチパネルからなる画面を備えた高機能携帯電話や高機能携帯端末(図示略)用に用いられるクリーナー機能付きイヤホン収納袋１を示している。このクリーナー機能付きイヤホン収納袋１は、外面の少なくとも一部が極細繊維からなる布帛２で形成された袋体３からなり、例えば、袋体３の片方の外面あるいは表裏両外面が極細繊維からなる布帛２で形成されており、この極細繊維からなる布帛２には、タッチパネルからなる画面やイヤホンのコード等の汚れを簡単に清掃可能なクリーナーとして機能可能な布帛が使用されており、かつ、袋体３は少なくともイヤホン４を収納可能に構成されている。極細繊維からなる布帛２の極細繊維としては、前述の如く、単繊維繊度が０．０００１〜１．０ｄｔｅｘの範囲にあるものを使用すればよい。袋体３の裏地としては、とくに上記極細繊維からなる布帛２部分の裏地としては、極細繊維からなる布帛２とは別の生地(例えば、耐久性の高い生地)を用いてもよいし、極細繊維からなる布帛２の裏面をそのまま袋体３の内面形成面として用いてもよい。
【００２２】
袋体３は、本実施態様では、丸みを帯びた全体形状(全体平面形状)を有しており、その縁部の一部、図示例ではその上部縁部に、イヤホン４を出し入れ可能な開口部５が設けられている。この開口部５には、とくに留め手段は設けられておらず、開口部５の初期設定サイズによって収納されたイヤホン４の脱落が防止できるようになっているが、必要に応じてマジックテープ（登録商標）やファスナー、ホック、ゴム、紐等の開閉自在の留め手段を設けておくことも可能である。なお、前述したように、袋体３は、イヤホン４とともに他の小物まで収納可能なサイズに構成することも可能であり、袋体３の内部を、開口部５を含めて、少なくとも２つの収納部に分割した形態に構成することも可能である。
【００２３】
また、本実施態様では、袋体３に、該袋体３を袋体３以外の他品に着脱可能な取り付け手段として、クリップ６を備えた帯状体７が付設されている。このようなクリップ６付き帯状体７を設けておくことにより、クリップ６の操作によってクリーナー機能付きイヤホン収納袋１を、例えばカバンや、衣服、ベルト等に必要に応じて簡単に着脱できるようになっている。ただし、取り付け手段の構造は図示例のものに限られず、任意の構造体の適用が可能である。
【００２４】
さらに、袋体３の外面の少なくとも一部に、装飾や広告８を施しておくことも可能である。このような装飾や広告８は、プリントによってもよいし、別部材や別生地を接着や縫込みすることによって設けることもできる。装飾や広告８は、プリントによる場合には、クリーナー機能を有する極細繊維からなる布帛２部分と同じ部分に設定可能であるが、接着や縫込みによる場合には、クリーナー機能を有する極細繊維からなる布帛２部分と異なる部分に設定することが好ましい。
【００２５】
このように構成された本実施態様に係るクリーナー機能付きイヤホン収納袋１においては、開口部５を通し必要に応じてイヤホン４を自由にかつ簡単に出し入れすることができ、イヤホン４の使用が不要なときには容易にイヤホン４を袋体３内に収納しておくことができる。すなわち、袋体３をイヤホン４専用の収納体として便利に使用できる。また、袋体３の外面の少なくとも一部が極細繊維からなる布帛２で形成されているので、とくにタッチパネルからなる画面を備えた高機能携帯電話や高機能携帯端末に対し、その極細繊維からなる布帛２部分を用いて、タッチパネルからなる画面やイヤホン４のコード等の汚れを簡単に清掃することができる。したがって、従来にない、イヤホン４専用の収納袋としての機能と、タッチパネルからなる画面やイヤホン４のコード等の汚れを簡単に清掃可能な機能との両機能を併せ持つクリーナー機能付きイヤホン収納袋が実現される。
【００２６】
また、本実施態様では、袋体３に、クリップ６付き帯状体７が設けられているので、クリーナー機能付きイヤホン収納袋１は、その使用者の都合や好みに沿った任意の箇所に取り付けることが可能となっており、使用における利便性が一層向上されている。
【００２７】
なお、上記実施態様は、本考案の一実施形態を例示したものであり、本考案は何ら上記実施態様には限定されない。
【産業上の利用可能性】
【００２８】
本考案に係るクリーナー機能付きイヤホン収納袋は、とくにタッチパネルからなる画面を備えた高機能携帯電話や高機能携帯端末用に用いて好適なものである。
【符号の説明】
【００２９】
１  クリーナー機能付きイヤホン収納袋
２  極細繊維からなる布帛
３  袋体
４  イヤホン
５  開口部
６  クリップ
７  帯状体
８  装飾や広告
【図１】
0003179218.tif 000003